(57)【特許請求の範囲】
【請求項１】
装着物が開口から挿入され所定位置より押し込まれるとロックされ、ロックされた前記装着物が所定位置より押し込まれるとロックが解除され押し出されるプッシュロック機構が操作面に配置された筐体と、前記操作面に対面して配置され、前記操作面に沿ってスライドし開閉する表示ユニットとを有する電子機器に設けられた電子機器用開閉扉であって、
前記筐体に配置され、前記操作面と平行な平面に配置された回転軸を有し、前記回転軸を中心に回転し前記開口を開閉する開閉体と、
前記開閉体が閉じた状態で前記開口と向かい合う面に配置され、前記開口に装着されたロックされていない前記装着物の一端部と噛み合う噛合部と
を備え、
前記開閉体は、
前記表示ユニットを閉じるとき、前記装着物がロックされておらず、前記開閉体が開いた状態では、前記表示ユニットで押されて閉じる方向に回転し、前記噛合部が前記装着物の一端部と噛み合った状態となり、前記装着物を前記プッシュロック機構方向に押し込み、
前記表示ユニットを開くとき、前記噛合部とロックされていない前記装着物の一端部とが噛み合った状態で、前記装着物の飛び出しを規制し、かつ、前記噛合部により開く方向への回転が規制される
ことを特徴とする電子機器用開閉扉。
【請求項２】
前記噛合部は、前記筐体と向かい合う面から突出したリブ状に形成されていることを特徴とする請求項１に記載の電子機器用開閉扉。
【請求項３】
前記噛合部は、前記筐体と向かい合う面から突出した突起状に形成されていることを特徴とする請求項１に記載の電子機器用開閉扉。
【請求項４】
前記噛合部は、前記筐体と向かい合う面に凹状に形成されていることを特徴とする請求項１に記載の電子機器用開閉扉。
【請求項５】
前記開閉体は、前記噛合部と前記装着物の一端部とが噛み合った状態では、前記表示ユニットの開閉時の移動軌跡より前記操作面側に位置することを特徴とする請求項１から４のいずれか一項に記載の電子機器用開閉扉。
【請求項６】
前記装着物は、記憶媒体であることを特徴とする請求項１から５のいずれか一項に記載の電子機器用開閉扉。
【請求項７】
操作面を有する筐体と、
装着物が開口から挿入され所定位置より押し込まれるとロックされ、ロックされた前記装着物が所定位置より押し込まれるとロックが解除され押し出されるプッシュロック機構と、
前記筐体に配置され、前記操作面と平行な平面に配置された回転軸を有し、前記回転軸を中心に回転し前記開口を開閉する開閉体、および、前記開閉体が閉じた状態で前記開口と向かい合う面に配置され、前記開口に装着されたロックされていない前記装着物の一端部と噛み合う噛合部を有する開閉扉と
を備え、
前記開閉体は、
前記操作面に沿ってスライドし開閉する表示ユニットを閉じるとき、前記装着物がロックされておらず、前記開閉体が開いた状態では、前記表示ユニットで押されて閉じる方向に回転し、前記噛合部が前記装着物の一端部と噛み合った状態となり、前記装着物を前記プッシュロック機構方向に押し込み、
前記表示ユニットを開くとき、前記噛合部とロックされていない前記装着物の一端部とが噛み合った状態で、前記装着物の飛び出しを規制し、かつ、前記噛合部により開く方向への回転が規制される
ことを特徴とする電子機器用読取ユニット。
【請求項８】
操作面を有する筐体と、
装着物が開口から挿入され所定位置より押し込まれるとロックされ、ロックされた前記装着物が所定位置より押し込まれるとロックが解除され押し出されるプッシュロック機構と、
前記筐体に配置され、前記操作面と平行な平面に配置された回転軸を有し、前記回転軸を中心に回転し前記開口を開閉する開閉体、および、前記開閉体が閉じた状態で前記開口と向かい合う面に配置され、前記開口に装着されたロックされていない前記装着物の一端部と噛み合う噛合部を有する開閉扉とを備える電子機器用読取ユニットと、
前記操作面に沿ってスライドし開閉する表示ユニットと
を備え、
前記開閉体は、
前記表示ユニットを閉じるとき、前記装着物がロックされておらず、前記開閉体が開いた状態では、前記表示ユニットで押されて閉じる方向に回転し、前記噛合部が前記装着物の一端部と噛み合った状態となり、前記装着物を前記プッシュロック機構方向に押し込み、
前記表示ユニットを開くとき、前記噛合部とロックされていない前記装着物の一端部とが噛み合った状態で、前記装着物の飛び出しを規制し、かつ、前記噛合部により開く方向への回転が規制される
ことを特徴とする電子機器。
【発明の詳細な説明】
【技術分野】
【０００１】
本発明は、電子機器用開閉扉、電子機器用読取ユニット、および、電子機器に関する。
【背景技術】
【０００２】
記憶媒体から情報を読み取って使用する装置では、記憶媒体を装着したり取り外したりする開口を電子機器用開閉扉で覆い、埃などの侵入を抑制している（例えば、特許文献１参照）。使用者は、電子機器用開閉扉を開いて記憶媒体を装着したり取り外したりして、電子機器用開閉扉を閉じて開口を覆う。
【先行技術文献】
【特許文献】
【０００３】
【特許文献１】特許第３２５５３３６号公報
【発明の概要】
【発明が解決しようとする課題】
【０００４】
例えば、車両に搭載される車両用の電子機器は、制御部などが収納された本体部と、本体部の前面を覆い、本体部に対して開閉するディスプレイパネルを有する。本体部の前面は、ディスプレイパネルを開いた状態で露出し、閉じた状態ではディスプレイパネルで覆われる。本体部の前面には、地図データや使用者の音楽、画像データなどを記憶した記憶媒体を装着したり取り外したりする開口（メディアスロット）が形成されている。記憶媒体の装着、取外時は、ディスプレイパネルを開いて、電子機器用開閉扉を開き、記憶媒体を装着したり取り外したりする。その後、使用者は、電子機器用開閉扉を閉じて開口を覆い、ディスプレイパネルを閉じる。このため、電子機器用開閉扉が確実に閉じていないと、ディスプレイパネルの開閉に干渉するおそれがある。
【０００５】
本発明は、上記に鑑みてなされたものであって、電子機器用開閉扉が閉じていない場合でもディスプレイパネルの開閉に干渉しない電子機器用開閉扉、電子機器用読取ユニット、および、電子機器を提供することを目的とする。
【課題を解決するための手段】
【０００６】
上述した課題を解決し、目的を達成するために、本発明に係る電子機器用開閉扉は、着物が開口から挿入され所定位置より押し込まれるとロックされ、ロックされた前記装着物が所定位置より押し込まれるとロックが解除され押し出されるプッシュロック機構が操作面に配置された筐体と、前記操作面に対面して配置され、前記操作面に沿ってスライドし開閉する表示ユニットとを有する電子機器に設けられた電子機器用開閉扉であって、前記筐体に配置され、前記操作面と平行な平面に配置された回転軸を有し、前記回転軸を中心に回転し前記開口を開閉する開閉体と、前記開閉体が閉じた状態で前記開口と向かい合う面に配置され、前記開口に装着されたロックされていない前記装着物の一端部と噛み合う噛合部とを備え、前記開閉体は、前記表示ユニットを閉じるとき、前記装着物がロックされておらず、前記開閉体が開いた状態では、前記表示ユニットで押されて閉じる方向に回転し、前記噛合部が前記装着物の一端部と噛み合った状態となり、前記装着物を前記プッシュロック機構方向に押し込み、前記表示ユニットを開くとき、前記噛合部とロックされていない前記装着物の一端部とが噛み合った状態で、前記装着物の飛び出しを規制し、かつ、前記噛合部により開く方向への回転が規制されることを特徴とする。
【０００７】
上述した課題を解決し、目的を達成するために、本発明に係る電子機器用読取ユニットは、装着物が開口から挿入され所定位置より押し込まれるとロックされ、ロックされた前記装着物が所定位置より押し込まれるとロックが解除され押し出されるプッシュロック機構と、前記筐体に配置され、前記操作面と平行な平面に配置された回転軸を有し、前記回転軸を中心に回転し前記開口を開閉する開閉体、および、前記開閉体が閉じた状態で前記開口と向かい合う面に配置され、前記開口に装着されたロックされていない前記装着物の一端部と噛み合う噛合部を有する開閉扉とを備え、前記開閉体は、前記操作面に沿ってスライドし開閉する表示ユニットを閉じるとき、前記装着物がロックされておらず、前記開閉体が開いた状態では、前記表示ユニットで押されて閉じる方向に回転し、前記噛合部が前記装着物の一端部と噛み合った状態となり、前記装着物を前記プッシュロック機構方向に押し込み、前記表示ユニットを開くとき、前記噛合部とロックされていない前記装着物の一端部とが噛み合った状態で、前記装着物の飛び出しを規制し、かつ、前記噛合部により開く方向への回転が規制される。
【０００８】
上述した課題を解決し、目的を達成するために、本発明に係る電子機器は、操作面を有する筐体と、装着物が開口から挿入され所定位置より押し込まれるとロックされ、ロックされた前記装着物が所定位置より押し込まれるとロックが解除され押し出されるプッシュロック機構と、前記筐体に配置され、前記操作面と平行な平面に配置された回転軸を有し、前記回転軸を中心に回転し前記開口を開閉する開閉体、および、前記開閉体が閉じた状態で前記開口と向かい合う面に配置され、前記開口に装着されたロックされていない前記装着物の一端部と噛み合う噛合部を有する開閉扉とを備える電子機器用読取ユニットと、前記操作面に沿ってスライドし開閉する表示ユニットとを備え、前記開閉体は、前記表示ユニットを閉じるとき、前記装着物がロックされておらず、前記開閉体が開いた状態では、前記表示ユニットで押されて閉じる方向に回転し、前記噛合部が前記装着物の一端部と噛み合った状態となり、前記装着物を前記プッシュロック機構方向に押し込み、前記表示ユニットを開くとき、前記噛合部とロックされていない前記装着物の一端部とが噛み合った状態で、前記装着物の飛び出しを規制し、かつ、前記噛合部により開く方向への回転が規制される。
【発明の効果】
【０００９】
本発明によれば、電子機器用開閉扉が閉じていない場合でもディスプレイパネルの開閉への干渉を抑制することができるという効果を奏する。
【図面の簡単な説明】
【００１０】
【図１】図１は、実施形態に係る電子機器を示す正面図であり、表示ユニットを閉じた状態を示す図である。
【図２】図２は、実施形態に係る電子機器を示す部分断面図であり、表示ユニットを閉じた状態を示す図である。
【図３】図３は、実施形態に係る電子機器を示す部分断面図であり、表示ユニットを開いた状態を示す図である。
【図４】図４は、実施形態に係る開閉扉の開閉体を示す部分拡大断面図である。
【図５】図５は、実施形態に係る電子機器を示す部分拡大断面図であり、表示ユニットを閉じている状態を示す図である。
【図６】図６は、実施形態に係る電子機器を示す部分拡大断面図であり、表示ユニットを閉じている状態を示す図である。
【図７】図７は、実施形態に係る電子機器を示す部分拡大断面図であり、表示ユニットを閉じている状態を示す図である。
【図８】図８は、実施形態に係る電子機器を示す部分拡大断面図であり、表示ユニットを閉じた状態を示す図である。
【図９】図９は、従来の電子機器を示す部分拡大断面図であり、表示ユニットを閉じた状態を示す図である。
【図１０】図１０は、従来の電子機器を示す部分拡大断面図であり、表示ユニットを閉じている状態を示す図である。
【図１１】図１１は、実施形態に係る電子機器の他の例を示す部分拡大断面図であり、表示ユニットを閉じた状態を示す図である。
【図１２】図１２は、実施形態に係る電子機器の他の例を示す部分拡大断面図であり、表示ユニットを閉じた状態を示す図である。
【発明を実施するための形態】
【００１１】
以下に添付図面を参照して、本発明に係る電子機器用開閉扉（以下、「開閉扉」という）６を有する電子機器用読取ユニット（以下、「読取ユニット」という）３を備えた電子機器１の実施形態を詳細に説明する。なお、以下の実施形態により本発明が限定されるものではない。
【００１２】
以下の説明においては、電子機器１を運転席の前方の車両に搭載した状態で各方向を定義する。前後方向とは、車両直進時の進行方向と平行な方向であり、運転席側に向かう方向を前後方向の「前」、前方ウインドシールド側に向かう方向を前後方向「後」とする。前後方向を、Ｘ軸方向とする。左右方向とは、前後方向に対して水平に直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１３】
図１は、実施形態に係る電子機器を示す正面図であり、表示ユニットを閉じた状態を示す図である。図２は、実施形態に係る電子機器を示す部分断面図であり、表示ユニットを閉じた状態を示す図である。図３は、実施形態に係る電子機器を示す部分断面図であり、表示ユニットを開いた状態を示す図である。図４は、実施形態に係る開閉扉の開閉体を示す部分拡大断面図である。電子機器１は、映像を表示する表示ユニット２と、記憶媒体（装着物）Ｓから情報を読み取り、表示ユニット２で表示させる読取ユニット（電子機器用読取ユニット）３とを有する。電子機器１は、例えば、ＡＶ一体型のカーナビゲーションシステムまたはカーオーディオなどである。
【００１４】
表示ユニット２は、読取ユニット３のサブパネル３０ａに沿ってスライドし開閉する。言い換えると、表示ユニット２は、読取ユニット３の筐体３０に対してチルト動作し開閉する。より詳しくは、表示ユニット２は、筐体３０のサブパネル（操作面）３０ａと平行な方向に沿って起立しているとき、閉じた状態である。表示ユニット２が閉じた状態のとき、サブパネル３０ａは表示ユニット２で覆われている。表示ユニット２は、サブパネル３０ａに対して傾いているとき、開いた状態である。表示ユニット２が開いた状態のとき、サブパネル３０ａは露出している。本実施形態では、表示ユニット２は、下側が筐体３０から遠ざかりながら、上側がサブパネル３０ａに沿って下方にスライドすることで、筐体３０に対して開いた状態となる。表示ユニット２は、下側が筐体３０に近づきながら、上側がサブパネル３０ａに沿って上方にスライドすることで筐体３０に対して閉じた状態となる。
【００１５】
表示ユニット２は、ディスプレイパネル２１の外周を覆う箱形の筐体２０と、筐体２０の運転席に面した正面に配置されたディスプレイパネル２１と、筐体２０の正面と反対側の背面の下側に配置された回転軸２２と、筐体２０の背面の上側に配置されたガイドローラ２３と、筐体２０の背面に配置された凸状部２４と、ディスプレイパネル２１の側方に配置された操作部２５とを有する。
【００１６】
ディスプレイパネル２１は、例えば、液晶ディスプレイ（ＬＣＤ：Ｌｉｑｕｉｄ  Ｃｒｙｓｔａｌ  Ｄｉｓｐｌａｙ）又は有機ＥＬ（Ｏｒｇａｎｉｃ  Ｅｌｅｃｔｒｏ−Ｌｕｍｉｎｅｓｃｅｎｃｅ）ディスプレイを含むディスプレイである。ディスプレイパネル２１は、読取ユニット３から出力された映像信号に基づいて、映像を表示する。ディスプレイパネル２１は、正面が運転席と向かい合って配置されている。ディスプレイパネル２１は、表面にタッチパネルが配置されている。ディスプレイパネル２１は、表示された操作画面を介して、操作を検出し読取ユニット３に出力する。本実施形態では、ディスプレイパネル２１は、前後方向と直交する平面に配置されている。
【００１７】
回転軸２２は、スライド機構４のスライド軸４１に回転自在に連結されている。回転軸２２は、左右方向に沿って配置されている。
【００１８】
ガイドローラ２３は、読取ユニット３の筐体３０に形成されたガイド溝３１と係合している。言い換えると、ガイドローラ２３は、ガイド溝３１に沿ってスライドする。
【００１９】
凸状部２４は、表示ユニット２が閉じた状態で、読取ユニット３の筐体３０のサブパネル３０ａと筐体２０の背面との間の隙間に位置する。より詳しくは、凸状部２４は、記憶媒体Ｓがメディアスロット５１に装着されロックされた状態で、開閉体６１が閉じ、表示ユニット２が閉じた状態では、開閉扉６と当接しない。凸状部２４は、表示ユニット２が閉じた状態で開閉扉６が半開き状態の場合、開閉扉６と当接し、開閉扉６を筐体３０側に押し付ける。凸状部２４の前後方向の幅Ｄ１（図８参照）は、サブパネル３０ａと筐体２０の背面との間の隙間の幅Ｄ２（図８参照）より小さい。なお、凸状部２４は、設けなくてもよい。
【００２０】
操作部２５は、電子機器１に対する操作を入力する複数のボタンを含む。操作部２５は、各ボタンに対する操作を検出し読取ユニット３に出力する。操作部２５は、ディスプレイパネル２１に表示された操作画面に画像として表示させるタッチパネルとしてもよい。
【００２１】
読取ユニット３は、記憶媒体Ｓから情報を読み取る。読取ユニット３は、記憶媒体Ｓから読み取った情報と、ディスプレイパネル２１で検出された操作情報とに基づいて、電子機器１の各部に制御信号を出力する。読取ユニット３は、筐体３０と、筐体３０に配置されたスライド機構４と読取部（プッシュロック機構）５と開閉扉６と図示しない制御部とを有する。
【００２２】
筐体３０は、直方体状の箱状に形成されている。筐体３０は、表示ユニット２と向かい合う面にサブパネル３０ａを有する。サブパネル３０ａは、前後方向と直交する平面に配置されている。サブパネル３０ａには、記憶媒体Ｓが装着される読取部５のメディアスロット（開口）５１が配置されている。
【００２３】
ガイド溝３１は、筐体３０の前側の側面内周３０ｂに形成されている。ガイド溝３１は、サブパネル３０ａの配置されている平面と平行な方向に沿った垂直部３１１と、垂直部３１１の上端部から前上方に傾斜した直線状に形成された傾斜部３１２と、垂直部３１１の下端部から前下方に凸状に湾曲した曲線状に形成された曲線部３１３とが、滑らかに連続して形成されている。
【００２４】
スライド機構４は、筐体３０に対して前後方向に進退する。スライド機構４は、スライド軸４１と、モータ４２とを有する。スライド軸４１は、モータ４２で駆動され、一端側が筐体３０のサブパネル３０ａより前方に進出したり、筐体３０の内部に後退したりする。スライド軸４１は、他端部がモータ４２と接続されている。スライド軸４１は、一端部が表示ユニット２の回転軸２２と接続されている。
【００２５】
このように構成されたスライド機構４は、スライド軸４１で、表示ユニット２の回転軸２２を前方に押し出す。このとき、表示ユニット２のガイドローラ２３は、ガイド溝３１に沿って下方にスライドされる。このようなスライド機構４の動作で、表示ユニット２の下側が筐体３０から遠ざかりながら、表示ユニット２の上側が筐体３０の下側にスライドされる。スライド機構４は、スライド軸４１で、表示ユニット２の回転軸２２を後方に引き戻す。このとき、表示ユニット２のガイドローラ２３は、ガイド溝３１に沿って上方にスライドされる。このようなスライド機構４の動作で、表示ユニット２の下側が筐体３０に近づきながら、表示ユニット２の上側が筐体３０の上側にスライドされる。
【００２６】
読取部５は、メディアスロット５１に装着された記憶媒体Ｓを読み取る。メディアスロット５１は、筐体３０のサブパネル３０ａに形成されている。読取部５は、記憶媒体Ｓが所定位置より押し込まれるとロックされ、ロックされた記憶媒体Ｓが所定位置より押し込まれるとロックが解除され押し出されるプッシュロック機構を有する。メディアスロット５１は、サブパネル３０ａより後方に凹状に形成されている。より詳しくは、メディアスロット５１は、記憶媒体Ｓが装着され、記憶媒体Ｓの一端部Ｓａが所定位置である位置Ｐ１より押し込まれると正しく装着されロックされる。そして、ロックされた記憶媒体Ｓを押し込む力が解除されると、記憶媒体Ｓの一端部Ｓａが位置Ｐ１まで押し戻される。メディアスロット５１は、ロックされた記憶媒体Ｓの一端部Ｓａが位置Ｐ１より押し込まれるとロックが解除され、記憶媒体Ｓの一端部Ｓａが位置Ｐ１より前方に押し出される。メディアスロット５１に装着された記憶媒体Ｓは、ロックされていない状態では、一端部Ｓａがサブパネル３０ａより前方に突出している。読取部５は、メディアスロット５１に装着された記憶媒体Ｓから読み取った情報を読取ユニット３に出力する。
【００２７】
開閉扉６は、筐体３０に配置される。開閉扉６は、開閉体６１と、開閉体６１の下側に配置され、左右方向に沿って配置された回転軸６２と、リブ（噛合部）６３とを有する。
【００２８】
開閉体６１は、回転軸６２を中心に回転しメディアスロット５１を開閉する。開閉体６１は、上側が筐体３０に対して近づいたり離れたりしてメディアスロット５１を開閉する。開閉体６１が閉じた状態では、開閉体６１とサブパネル３０ａとは同一平面に位置付けられる。開閉体６１が開いた状態では、上側がサブパネル３０ａより前方に突出し傾斜している。開閉体６１は、メディアスロット５１に装着された記憶媒体Ｓがロックされていない状態では、サブパネル３０ａに対してわずかに傾斜した半開き状態となる。開閉体６１は、例えば、ネジリコイルバネや板バネを含む付勢手段で閉じる方向に付勢されている。本実施形態では、ネジリコイルバネの一端が筐体３０に固定され、他端が開閉体６１に固定されている。
【００２９】
リブ６３は、開閉体６１が閉じた状態で筐体３と向かい合う内周面から突出したリブ状に形成されている。リブ６３は、開閉体６１が閉じた状態で内周面より前方に幅Ｄ３（図４参照）突出している。リブ６３は、開閉扉６においてメディアスロット５１と向かい合う位置に形成されている。リブ６３は、メディアスロット５１に記憶媒体Ｓが装着されロックされ、開閉体６１が閉じた状態では、記憶媒体Ｓの一端部Ｓａと当接しない。リブ６３は、メディアスロット５１に装着されたロックされていない記憶媒体Ｓの一端部Ｓａと噛み合う。リブ６３は、斜面６３ａと底面６３ｂとで、直角三角形状の断面を形成する。
【００３０】
次に、このように構成された電子機器１の開閉動作と作用について説明する。
【００３１】
まず、電子機器１の正しい手順の開閉動作について説明する。読取ユニット３は、表示ユニット２を開動作させる操作が検出された検出信号が入力されると、スライド機構４で、表示ユニット２を開動作させる。より詳しくは、図３に示すように、表示ユニット２の回転軸２２は、スライド機構４のスライド軸４１で前方に押し出される。このとき、表示ユニット２は、ガイドローラ２３がガイド溝３１に沿って下方にスライドされる。これにより、表示ユニット２は、下側が筐体３０から遠ざかりながら、上側が筐体３０の下側にスライドされ、筐体３０に対して開いた状態とされ、サブパネル３０ａが露出される。
【００３２】
そして、露出されたサブパネル３０ａに配置された開閉扉６は、上側が手前側に引き倒される。そして、開閉扉６は、開かれる。これにより、メディアスロット５１が露出される。
【００３３】
そして、記憶媒体Ｓがメディアスロット５１に装着され、記憶媒体Ｓの一端部Ｓａが位置Ｐ１より奥まで押し込まれロックされる。ロックされた記憶媒体Ｓを押し込む力が解除されると、記憶媒体Ｓの一端部Ｓａが位置Ｐ１まで押し戻される。
【００３４】
そして、開閉扉６の開閉体６１の上側が押し上げられて閉じられ、開閉扉６が閉状態とされる。なお、開閉体６１は、ある程度までしまったところで、ネジリコイルバネで付勢され閉じられる。このとき、リブ６３は、記憶媒体Ｓの一端部Ｓａと当接していない。
【００３５】
このようにして、電子機器１が正しい手順で開動作される。
【００３６】
読取ユニット３は、表示ユニット２を閉動作させる操作が検出された検出信号が入力されると、スライド機構４で、表示ユニット２を閉動作させる。より詳しくは、スライド機構４のスライド軸４１で、表示ユニット２の回転軸２２が後方に引き戻される。このとき、表示ユニット２のガイドローラ２３がガイド溝３１に沿って上方にスライドされる。これにより、表示ユニット２の下側が筐体３０から近づきながら、表示ユニット２の上側が筐体３０の上側にスライドされ、表示ユニット２が筐体３０に対して閉じた状態とされ、サブパネル３０ａが覆われる。凸状部２４は、開閉扉６と当接していない。
【００３７】
このようにして、電子機器１が正しい手順で閉動作される。
【００３８】
つぎに、図５に示すように、開閉体６１を閉じていない状態で表示ユニット２を閉動作する場合について説明する。図５は、実施形態に係る電子機器を示す部分拡大断面図であり、表示ユニットを閉じている状態を示す図である。開閉扉６は、開いており、記憶媒体Ｓは、メディアスロット５１に装着されたロックされていない。ロックされていない記憶媒体Ｓは、一端部Ｓａが位置Ｐ１より前方に突出している。リブ６３は、記憶媒体Ｓの一端部Ｓａと当接していない。
【００３９】
読取ユニット３は、表示ユニット２を閉動作させる操作が検出された検出信号が入力されると、スライド機構４で、表示ユニット２を閉動作させる。より詳しくは、スライド機構４のスライド軸４１で、表示ユニット２の回転軸２２が後方に引き戻される。このとき、表示ユニット２のガイドローラ２３がガイド溝３１に沿って上方にスライドされる。これにより、表示ユニット２の下側が筐体３０から近づきながら、表示ユニット２の上側が筐体３０の上側にスライドされる。
【００４０】
図６ないし図８を用いて、表示ユニット２の閉動作について詳細に説明する。図６は、実施形態に係る電子機器を示す部分拡大断面図であり、表示ユニットを閉じている状態を示す図である。図７は、実施形態に係る電子機器を示す部分拡大断面図であり、表示ユニットを閉じている状態を示す図である。図８は、実施形態に係る電子機器を示す部分拡大断面図であり、表示ユニットを閉じた状態を示す図である。
【００４１】
表示ユニット２が起立して、図５に示す状態から図６に示す状態になると、表示ユニット２の筐体２０の上面２０ａと開閉扉６の開閉体６１とが接触する。より詳しくは、開閉扉６の開閉体６１は、表示ユニット２の閉動作にともなって、筐体２０の上面２０ａに沿って相対的に滑りながら押し上げられ、回転軸６２を軸として閉じる方向に回転される。そして、図６に示すように、開閉扉６のリブ６３の斜面６３ａが記憶媒体Ｓの一端部Ｓａと当接する。
【００４２】
そして、表示ユニット２がさらに起立して、図６に示す状態から図７に示す状態になると、開閉扉６の開閉体６１は、筐体２０の上面２０ａの後端部と接触する。より詳しくは、開閉扉６の開閉体６１は、表示ユニット２のさらなる閉動作にともなって、筐体２０の上面２０ａに沿って相対的に滑りながら押し上げられ、回転軸６２を軸として閉じる方向に回転される。記憶媒体Ｓは、一端部Ｓａが開閉扉６のリブ６３の斜面６３ａでメディアスロット５１に押し込まれる。そして、図７に示すように、開閉扉６のリブ６３の底面６３ｂが記憶媒体Ｓの一端部Ｓａと当接する。言い換えると、リブ６３と記憶媒体Ｓの一端部Ｓａとが噛み合う。
【００４３】
そして、表示ユニット２がさらに起立して、図７に示す状態から図８に示す状態になると、筐体２０の背面と、開閉扉６の開閉体６１とが接触する。より詳しくは、表示ユニット２のさらなる閉動作にともなって、開閉扉６のリブ６３と記憶媒体Ｓの一端部Ｓａとが噛み合った状態のまま、開閉扉６の開閉体６１が筐体２０の背面で押されながら、表示ユニット２が閉状態とされる。そして、図８に示すように、表示ユニット２が閉状態にされると、開閉扉６の開閉体６１が筐体２０の凸状部２４でメディアスロット５１側に押される。記憶媒体Ｓの一端部Ｓａが開閉扉６のリブ６３でメディアスロット５１側に押される。
【００４４】
このようにして、開閉体６１が表示ユニット２で押し上げられながら閉じる方向に回転され、開閉扉６のリブ６３と記憶媒体Ｓの一端部Ｓａとが噛み合った状態にされて、サブパネル３０ａが表示ユニット２で覆われる。この場合、記憶媒体Ｓは、メディアスロット５１に正しく装着されておらずロックされていないので、開閉体６１が開かれると、メディアスロット５１から飛び出してしまう。また、開閉体６１は、メディアスロット５１に装着された記憶媒体Ｓがロックされていないので、サブパネル３０ａに対してわずかに傾斜した半開き状態である。
【００４５】
つぎに、図８に示すように、開閉体６１が半開きの状態で表示ユニット２が開動作する場合について説明する。
【００４６】
図８に示すように、サブパネル３０ａは、表示ユニット２で覆われている。開閉扉６の開閉体６１が筐体２０の凸状部２４でメディアスロット５１側に押されている。記憶媒体Ｓの一端部Ｓａが開閉扉６の開閉体６１でメディアスロット５１側に押されている。リブ６３と記憶媒体Ｓの一端部Ｓａとは、噛み合った状態である。なお、記憶媒体Ｓは、メディアスロット５１に正しく装着されておらずロックされていない。
【００４７】
表示ユニット２が図８に示す状態から開動作するとき、リブ６３と記憶媒体Ｓの一端部Ｓａとが噛み合っている。このため、開閉扉６の開閉体６１は、筐体２０の背面と離間したとしても、開く方向に回転しない。また、記憶媒体Ｓは、開閉体６１で飛び出しが規制される。より詳しくは、記憶媒体Ｓと噛み合ったリブ６３で、記憶媒体Ｓが飛び出すために開閉扉６の開閉体６１の内周面と相対的にスライドすることが規制される。このため、記憶媒体Ｓの飛び出しが規制され、開閉体６１の開く方向への回転も規制される。
【００４８】
このようにして、リブ６３と記憶媒体Ｓの一端部Ｓａとが噛み合っているので、記憶媒体Ｓが開閉体６１で飛び出しが規制され、開閉体６１が開く方向への回転を規制される。また、開閉体６１は、回転を規制され、表示ユニット２の開閉時の移動軌跡よりサブパネル３０ａ側に位置する。
【００４９】
上述したように、本実施形態は、開閉体６１を閉じずに表示ユニット２を閉動作する場合であっても、表示ユニット２が開閉体６１を押し上げながら、リブ６３が記憶媒体Ｓの一端部Ｓａと当接し、記憶媒体Ｓをメディアスロット５１に押し込む。そして、表示ユニット２が閉状態となると、リブ６３と記憶媒体Ｓの一端部Ｓａとが噛み合った状態となり、サブパネル３０ａが表示ユニット２で覆われる。このように、開閉体６１を閉じずに閉動作する場合であっても、各部を損傷することなく、表示ユニット２を閉動作することができる。このように、本実施形態は、開閉体６１を閉じずに表示ユニット２を閉動作する場合であっても、開閉体６１がディスプレイパネル２１に干渉することを抑制することができる。
【００５０】
また、開閉体６１が半開きの状態で表示ユニット２が開動作する場合であっても、リブ６３と記憶媒体Ｓの一端部Ｓａとが噛み合っているので、ロックされていない記憶媒体Ｓは、開閉体６１で飛び出しが規制される。このように、本実施形態は、開閉扉６が半開きの状態で表示ユニット２が開動作する場合であっても、開閉体６１がディスプレイパネル２１に干渉することを抑制することができる。
【００５１】
ここで、比較のため、図９、図１０を用いて、リブが形成されていない従来の開閉扉６Ａについて説明する。図９は、従来の電子機器を示す部分拡大断面図であり、表示ユニットを閉じた状態を示す図である。図１０は、従来の電子機器を示す部分拡大断面図であり、表示ユニットを閉じている状態を示す図である。
【００５２】
開閉扉６Ａの開閉体６１Ａが半開きの状態で表示ユニット２が開動作する場合、開閉体６１Ａが筐体２０の背面と離間すると、開閉体６１Ａが開く方向へ回転する。また、開閉体６１Ａと記憶媒体Ｓの一端部Ｓａとが単に当接しているだけなので、記憶媒体Ｓが開閉体６１Ａの内周面と相対的にスライドすることが規制されず、ロックされていない記憶媒体Ｓが飛び出してしまう。このように、リブが形成されていない従来の開閉扉６Ａでは、開閉扉６Ａが半開きの状態で表示ユニット２が開動作する場合、開閉体６１Ａがディスプレイパネル２１に干渉するおそれがある。開閉扉６Ａがディスプレイパネル２１と干渉すると、ディスプレイパネル２１が正しく開閉動作しない原因となるおそれがある。
【００５３】
さて、これまで本発明に係る電子機器１について説明したが、上述した実施形態以外にも種々の異なる形態にて実施されてよいものである。上記で説明した開閉扉６の噛合部であるリブ６３の構成は、一例であり、これに限定されるものではない。以下の説明において、上述した実施形態と同一の構成または対応する構成には、同一の符号または対応する符号を付して、その説明を省略する。
【００５４】
図１１に示すように、開閉扉６Ｂの噛合部は、開閉体６１Ｂが閉じた状態でメディアスロット５１と向かい合う面から突出した突起状に形成された突起部６３Ｂであってもよい。図１１は、実施形態に係る電子機器の他の例を示す部分拡大断面図であり、表示ユニットを閉じた状態を示す図である。例えば、突起部６３Ｂは、半球状に形成されていてもよい。開閉体６１Ｂが半開きの状態で表示ユニット２が開動作する場合、突起部６３Ｂと記憶媒体Ｓの一端部Ｓａとが噛み合っているので、記憶媒体Ｓは、開閉体６１Ｂで飛び出しが規制される。このように、開閉扉６Ｂが半開きの状態で表示ユニット２が開動作する場合であっても、開閉体６１Ｂが開く方向に回転せず、ディスプレイパネル２１に干渉することを抑制することができる。
【００５５】
図１２に示すように、開閉扉６Ｃの噛合部は、開閉体６１Ｃが閉じた状態でメディアスロット５１と向かい合う面を切り欠いた凹状に形成された切欠部６３Ｃであってもよい。図１２は、実施形態に係る電子機器の他の例を示す部分拡大断面図であり、表示ユニットを閉じた状態を示す図である。例えば、切欠部６３Ｃは、開閉体６１Ｃのメディアスロット５１と向かい合う面の下側を切り欠いて形成されている。開閉扉６Ｃの開閉体６１Ｃが半開きの状態で表示ユニット２が開動作する場合、切欠部６３Ｃと記憶媒体Ｓの一端部Ｓａとが噛み合っているので、記憶媒体Ｓは、開閉体６１Ｃで飛び出しを規制することができる。このように、開閉扉６Ｃが半開きの状態で表示ユニット２が開動作する場合であっても、開閉体６１Ｃが開く方向に回転せず、ディスプレイパネル２１に干渉することを抑制することができる。
【００５６】
リブ６３は、開閉扉６の左右方向に間隔を空けて、複数形成されていてもよい。これにより、開閉体６１が半開きの状態で表示ユニット２が開動作する場合、複数のリブ６３と記憶媒体Ｓの一端部Ｓａとがより確実に噛み合うので、記憶媒体Ｓは、開閉体６１で飛び出しを規制することができる。このため、開閉体６１が開く方向に回転せず、ディスプレイパネル２１に干渉することを抑制することができる。
【００５７】
リブ６３には、その外周面に左右方向に沿って溝が形成されていてもよい。これにより、開閉体６１が半開きの状態で表示ユニット２が開動作する場合、リブ６３の溝と記憶媒体Ｓの一端部Ｓａとがより確実に噛み合うので、記憶媒体Ｓは、開閉体６１で飛び出しを規制することができる。また、リブ６３の溝で、記憶媒体Ｓの開閉体６１に沿ったスライドが規制されるので、記憶媒体Ｓの飛び出しを規制することができる。これにより、開閉体６１の開く方向への回転を規制し、ディスプレイパネル２１に干渉することを抑制することができる。
【００５８】
開閉体６１とリブ６３は一体的構成であってもよいが、リブ６３を、ゴムや軟質樹脂などの摩擦係数の大きい材料で形成してもよい。これにより、開閉体６１が半開きの状態で表示ユニット２が開動作する場合、摩擦係数の大きい材料で形成されたリブ６３と記憶媒体Ｓの一端部Ｓａとがより確実に噛み合うので、記憶媒体Ｓは、開閉体６１で飛び出しを規制することができる。これにより、開閉体６１の開く方向への回転を規制し、ディスプレイパネル２１に干渉することを抑制することができる。
【００５９】
上記の実施形態で説明した表示ユニット２の構成は一例であり、表示ユニット２は、サブパネル３０ａに沿ってスライドする構成であればよい。
【符号の説明】
【００６０】
１        電子機器
２        表示ユニット
２０      筐体
２１      ディスプレイパネル
２４      凸状部
３        読取ユニット（電子機器用読取ユニット）
３０      筐体
３０ａ    サブパネル（操作面）
５        読取部（プッシュロック機構）
５１      メディアスロット（開口）
６        開閉扉（電子機器用開閉扉）
６１      開閉体
６２      回転軸
６３      リブ（噛合部）
Ｓ        記憶媒体（装着物）
Ｓａ      一端部
【図１】
0006546880.tif 000002
【図２】
0006546880.tif 000003
【図３】
0006546880.tif 000004
【図４】
0006546880.tif 000005
【図５】
0006546880.tif 000006
【図６】
0006546880.tif 000007
【図７】
0006546880.tif 000008
【図８】
0006546880.tif 000009
【図９】
0006546880.tif 000010
【図１０】
0006546880.tif 000011
【図１１】
0006546880.tif 000012
【図１２】
0006546880.tif 000013